(57)【特許請求の範囲】
【請求項１】
発泡体を形成する発泡樹脂と粘着性を有する粘着樹脂とが混合した発泡層を有する粘着シートであって、
前記発泡層の表面に、吸着力を有する複数の表面気泡を有し、
前記複数の表面気泡の少なくとも一部には、前記粘着樹脂と同系素材である同系樹脂が付着しており、
前記粘着樹脂は、アクリル系樹脂であり、
前記同系樹脂は、水溶性アクリル系樹脂である、粘着シート。
【請求項２】
前記発泡層の内部には、複数の内部気泡を有し、
前記複数の内部気泡の少なくとも一部には、前記同系樹脂が浸透している、請求項１に記載の粘着シート。
【請求項３】
発泡体が形成される被発泡樹脂に発泡剤と粘着性を有する粘着樹脂とを加える工程と、
前記被発泡樹脂を発泡することで、発泡体を形成する発泡樹脂と前記粘着樹脂とが混合し、表面に吸着力を有した複数の表面気泡を有する発泡層を形成する工程と、
前記粘着樹脂と同系素材である同系樹脂を溶剤で希釈し、前記同系樹脂の希釈液を前記発泡層に塗布し、前記吸着力を有したまま、前記複数の表面気泡の少なくとも一部に前記同系樹脂を付着させる工程と
を包含し、
前記粘着樹脂は、アクリル系樹脂であり、
前記同系樹脂は、水溶性アクリル系樹脂である、粘着シート製造方法。
【発明の詳細な説明】
【技術分野】
【０００１】
本発明は、例えば壁面に引き剥がし自在に貼り付けてホワイトボードとして使用する粘着シートの使用方法及びその使用方法に用いる粘着性樹脂に関するものである。
【背景技術】
【０００２】
従来の粘着性シートとして、被着体面の凹凸形状に馴染んで止着出来るように、収縮自在な発泡体層を有する表面に粘着層を配置させたものが知られている。この粘着シートは、強粘着剤により被着体に貼っており、剥がすことを前提にしていないので、建材の固定等の目的にも利用され強固に止着されている。
【０００３】
また、家庭等で使用されている壁紙凹凸面に止着して、剥がした時に止着面を破損しないように、図３（ａ）、（ｂ）に示すように、発泡体層の表面に微粘着層が形成されたものや、図４（ａ）、（ｂ）に示すように、微粘着糊を細かい粒子で発泡体層の表面に噴霧塗布したものが存在する。
【０００４】
さらに、特許文献１には、支持体に粘着剤層を設けた貼付剤において、粘着剤層がホットメルト型高分子物質を含有する粘着剤の発泡体を形成した例が開示されている。
【特許文献１】特開平８−９２０７５号公報
【発明の開示】
【発明が解決しようとする課題】
【０００５】
しかしながら、強粘着層を有する粘着シートの場合、剥がすことを前提にしていないので、剥がそうとした場合、被着体面が破損するおそれがある。
【０００６】
また、微粘着層を有する粘着シートの場合、図３（ｃ）、（ｄ）に示すように、発泡層が復元性を有することから凹凸面に十分に追随できず、凹凸面の凸部を中心とした部分的な止着によって貼り付けを実現することになり、その貼り付けが困難になる場合がある。結局、粘着層の粘着強度を引き上げないと目的を達成することが出来なくなり、図３（ｅ）に示すように、被着体から引き剥がす際に、壁紙素材等の場合、被着体表面を破壊することになる。また、綺麗に剥がせる目的は達成出来ない。
【０００７】
さらに、発泡体層が吸着性を有するものであっても、表面に粘着性樹脂層を一定の厚みを取って設けることになり、図３（ｂ）に示すように、表面の吸着孔を塞いで吸着効果を無くしてしまうことになる。この場合でも、上記の通り、図３（ｃ）〜（ｅ）に示すように、凹凸面への止着は粘着層の粘着力のみでの止着になり、粘着強度の引き上げが必要になるとともに、剥がした際の被着体表面の破損を発生させることには違いない。
【０００８】
また、発泡体層の表面に微粘着糊を噴霧塗布した場合、図４（ｂ）に示すように、噴霧塗布した微粘着糊が粒子状に表面に仮止着した状態で、安定して発泡層に止着した状態にはなり得ない。したがって、図４（ｃ）に示すように、被着体が平滑面でも凹凸面でも貼り付けた後、剥がす際には微粘着糊が被着体の表面に移行する（糊残りする）状態を発生させる。
【０００９】
さらに、粘着剤噴霧済み吸着発泡体は、粘着剤を噴霧塗布する相手が吸着力を有する発泡体で、かつ、その粘着剤の粘着力が微力な弱粘着力の場合であっても、凹凸面へ止着することが出来るが、図４（ｃ）のように、剥がした際に糊の粒子が被着体に残る現象は同様に発生が確認された。
【００１０】
本発明は、被着体表面の凹凸状態に関わらず粘着シートを落下させないよう貼り付けることができ、しかも、被着体表面を破損させることなく綺麗に被着体への糊残りを少なくして被着体から剥がすことのできる粘着シートの使用方法及びその使用方法に用いる粘着性樹脂の提供を目的とする。
【課題を解決するための手段】
【００１１】
上記目的を達成するため、本発明に係る粘着シートの使用方法は、発泡体を形成する樹脂と粘着性を有する樹脂とを組み合わせて形成された発泡層を有する粘着シートに、発泡層の表面に粘着性を有する樹脂と同系素材の粘着性樹脂を塗布して粘着性能を補強するものである。
【００１２】
上記構成によれば、発泡体を形成するベース樹脂と粘着性を有する樹脂とを組み合わせて発泡層を形成し、この発泡層の表面に粘着性樹脂を塗布して粘着性能を補強するので、その粘着性能を適度に高めることができ、しかも、単に発泡体に多量の粘着性樹脂を塗布した場合のように発泡体の表面に例えば数ミクロンであっても一定の厚みを有する粘着層を形成させ発泡体の柔軟性を損なうことがない。これにより、被着体を破損することなく粘着シートを剥がすことができる程度の粘着性能に設定しつつ、被着体表面が凹凸であったとしても、その凹凸面に発泡層を馴染ませてその全面を貼り付けることにより、粘着シートを落下させない程度の貼り付け強度を得ることができる。
【００１３】
また、発泡層の粘着性能を適度に高めるための手法として、発泡層を形成する際に、発泡体を形成する樹脂に組み合わせる粘着性を有する樹脂の量を多くすることも考えられるが、この場合、発泡層の形成時及びその直後には発泡層の復元力が十分でないことから、その粘着性能によって発泡層の気泡が潰れてしまう。これに対して、本発明の方法では、発泡層を形成した後、すなわち発泡層が十分な復元力を得た樹脂の形成が安定した後で粘着性樹脂を塗布するので、発泡層の気泡を潰すことなく粘着性能を高めることができる。
【００１４】
さらに、発泡層に含まれる粘着性を有する樹脂と同系素材の粘着性樹脂を塗布するので、塗布する粘着性樹脂を発泡層に馴染ませて安定させることができ、粘着シートを剥がしたときの糊残りを極力抑えることができる。ここで、塗布する粘着性樹脂としては、水溶性アクリル系樹脂を例示できる。水で希釈された粘着性樹脂はその希釈させた状態では殆んどその粘着性を持たず、水分が蒸発して粘着性樹脂だけになったときに粘着性能を発揮するものを採用することでより安定した塗布状態を実現する効果を得られる。粘度を殆んど有さない粘着性樹脂の希釈液を発泡層に塗布することでその発泡層の表面から気泡の内部層まで一定の粘性樹脂を均一に付着させることができ、その希釈水分が蒸発すると発泡層にそのその表面の微細な凹凸から一部内部の気泡部まで均一に粘着性樹脂を塗工することが可能になる。もし発泡層に粘着性樹脂を塗工する段階でその粘着性樹脂が粘度を有していると塗工が均一に施される結果が得られにくく、図３や図４に示したような状態になってしまい、期待する効果的な状態のシートを得られなくなる。
【００１５】
貼り付け強度を調整するには、粘着性樹脂を複数回重ね塗りする方法なども採用可能であるが、水溶性粘着性樹脂の希釈濃度を調整することにより、付着させる粘着性樹脂を所望の量に設定して吸着貼り付け強度を調整すれば、粘着シートを簡単に所望の吸着貼り付け強度に設定することができる。
【００１６】
また、発泡層を表面に気泡が露出されて吸着力を発揮する吸着孔を有するものとすれば、その吸着孔の吸着力を利用できる分、粘着性樹脂塗工量を少なくして糊残りを極力抑えつつ、吸着貼り付け強度を高めることができる。さらに、粘着性樹脂を発泡層の表面及び／又は吸着孔の壁面に浸透塗布すれば、吸着孔を塞がないので、その吸着力を損なうことがなく、粘着性樹脂によって粘着性能を高める分、吸着貼り付け強度を高めることができる。また、本発明は、上記の粘着シートの発泡層の表面に塗布する粘着性樹脂又はその粘着性樹脂の希釈液を提供する。
また、本発明による粘着シートは、発泡体を形成する発泡樹脂と粘着性を有する粘着樹脂とが混合した発泡層を有する。
ある実施形態において、前記発泡層の表面に、前記粘着樹脂と同系素材である同系樹脂が付着し得る。
ある実施形態において、前記発泡層の表面に、吸着力を有する複数の表面気泡を有し、前記複数の表面気泡の少なくとも一部には、前記同系樹脂が付着し得る。
ある実施形態において、前記発泡層の内部には、複数の内部気泡を有し、前記複数の内部気泡の少なくとも一部には、前記同系樹脂が浸透し得る。
ある実施形態において、前記粘着樹脂は、アクリル系樹脂であり、前記同系樹脂は、水溶性アクリル系樹脂であり得る。
また、本発明による粘着シート製造方法は、発泡体が形成される被発泡樹脂に発泡剤と粘着性を有する粘着樹脂とを加える工程と、前記被発泡樹脂を発泡することで、発泡体を形成する発泡樹脂と前記粘着樹脂とが混合した発泡層を形成する工程とを包含する。
【発明の効果】
【００１７】
以上の説明から明らかな通り、本発明によると、発泡体を形成する樹脂と粘着性を有する樹脂とを組み合わせて発泡層を形成し、これに、その粘着性を有する樹脂と同系素材の粘着性樹脂を塗布するので、粘着シートの粘着性能を適度に高めることができる。さらに、多量の粘着性樹脂を塗布する必要がない分、発泡体の柔軟性を損なうことがなく、被着体表面に馴染ませて、粘着シートを落下させないよう貼り付けることができ、しかも、被着体表面を破損させることなく剥がすことができる。
【発明を実施するための最良の形態】
【００１８】
以下、本発明に係る粘着シートの使用方法及びその使用方法に用いる粘着性樹脂の実施の形態について、図面を用いて説明する。図１は本発明に係る方法で使用する粘着シートを示す図で、（ａ）は粘着シートの断面図、（ｂ）は壁面に貼り付けた粘着シートの模式図である。図２は本発明に係る粘着シートの使用方法を説明する図で、（ａ）は粘着シートに粘着性樹脂を塗布する様子を示す図、（ｂ）は壁面に貼り付けた粘着シートの模式図である。
【００１９】
まず、粘着シート１について説明する。粘着シート１は、例えば、壁紙で覆われた壁面２に貼り付けることにより、ホワイトボードとして使用したり、磁性体を埋設してマグネット付きのペンなどを保持したりするためのものであり、少なくとも背面側が、アクリルやウレタン等の素材をベースとして復元性を有する発泡体を形成する樹脂と、粘着性を有する樹脂とを組み合わせて形成された発泡層３とされ、その発泡層３が少しの粘着性能を有すると共に、発泡層３の表面に気泡４が露出されて吸着力を発揮する吸着孔４ａが形成されている。
【００２０】
これにより、図１に示すように、粘着シート１は、壁面２の状態が良好ならば、そのままで壁面２に貼り付け可能となっている。
【００２１】
粘着シート１の発泡層３は、例えば、アクリル樹脂に増粘材、粘着性を有するアクリル系樹脂、及び発泡剤を加えた後、発泡倍率が２倍〜３倍程度となるよう発泡機でメカニカル発泡させ、これに整泡剤を添加して均一な泡を形成し、架橋剤を添加すると共に、クリーム状になったアクリル樹脂を塗り加工によってシート状に形成し、これを釜で加熱して水分を蒸発させることにより形成される。
【００２２】
次に、粘着シート１の使用方法を説明すると、まず、図２（ａ）に示すように、発泡層３に加えた粘着性を有するアクリル系樹脂と同系素材である水溶性アクリル系樹脂５を水など希釈液で希釈して、粘着シート１の発泡層３の表面及び／又は吸着孔４ａの壁面に微量に塗布する。これにより、水溶性アクリル系樹脂５の粒子が発泡層３の内部の微細な部分にまで浸透するので、その希釈成分（水）を蒸発させて、水溶性アクリル系樹脂５を安定固着させることにより、粘着シート１の粘着性能が補強される。なお、水溶性アクリル系樹脂５の希釈液は、非常に粘度が低く噴霧加工をして同様の効果を得ることもできる。
【００２３】
このとき、アクリル系樹脂からなる発泡層３に、これと同系素材である水溶性アクリル系樹脂５を塗布するので、その粒子が、より安定して止着された状態になる。また、水溶性アクリル系樹脂５が発泡層３の吸着孔４ａを塞ぐことがなく、吸着孔４ａの吸着効果を維持しつつ、粘着シート１の粘着性能が補強される。
【００２４】
図２（ｂ）に示すように、粘着性能を補強した粘着シート１を凹凸の壁面２に貼り付ける場合、発泡層３が壁面２の凹凸に馴染んで、その全面が接触する。これにより、発泡層３の吸着孔４ａがその吸着効果で壁面２の凹凸の微細な面を吸着すると共に、補強した粘着力によって吸着孔４ａ以外の部分が粘着し、粘着シート１が壁面２に貼り付く。ここで、吸着貼り付け強度は、水溶性アクリル系樹脂５の希釈濃度を調整することによって調整することができ、様々な凹凸面に対応した貼り付け吸着を可能にする。
【００２５】
また、粘着シート１に塗布する水溶性アクリル系樹脂５は微量であり、粘着シート１を剥がす際、壁紙などを破損させることがなく、水溶性アクリル系樹脂５を壁紙の表面に残すこともない。
【００２６】
上記構成によれば、アクリルやウレタン等の素材をベースとする樹脂で形成した復元性を有する発泡層３に、水溶性アクリル系樹脂５を希釈して微量に塗布浸透させた後、その水分を蒸発させるので、発泡層３の微細な気泡４の内面に至るまで水溶性アクリル系樹脂５を安定的に付着させて、発泡層３の粘着力を補強することができる。これにより、吸着孔４ａの吸着効果と、発泡層３の補強した粘着力とで、ガラス面などの平滑面から凹凸の塗装面、壁紙面まで様々な状態の被着面に、粘着シート１を自重で剥離落下しない程度に安定して吸着貼り付けさせることができる。しかも、塗布する水溶性アクリル系樹脂５が微量であるので、貼り付けた粘着シート１を、壁紙などの被着体の素材を破壊することなく剥がし取ることができる。
【図面の簡単な説明】
【００２７】
【図１】本発明に係る方法で使用する粘着シートを示す図で、（ａ）は粘着シートの断面図、（ｂ）は壁面に貼り付けた粘着シートの模式図
【図２】本発明に係る粘着シートの使用方法を説明する図で、（ａ）は粘着シートに粘着性樹脂を塗布する様子を示す図、（ｂ）は壁面に貼り付けた粘着シートの模式図
【図３】従来の微粘着層を有する粘着シートを示す図
【図４】従来の粘着スプレーを塗布する粘着シートを示す図
【符号の説明】
【００２８】
１    粘着シート
２    壁面
３    発泡層
４    気泡
４ａ  吸着孔
５    水溶性アクリル系樹脂
【図１】
0005512925.tif 000002
【図２】
0005512925.tif 000003
【図３】
0005512925.tif 000004
【図４】
0005512925.tif 000005